(57)【要約】養魚用の閉じた囲い（１）用の給餌システム（５）であって、前記閉じた囲い（１）は供給パイプ（３１）を含む水供給システム（３）を備えており、その上部（３９）において、下側部（６０）、中央部（６５）、および上側部（６９）を有するハウジング（６）を備え、前記ハウジング（６）の前記中央部（６５）から前記閉じた囲い（１）の内部に延び、前記下側部（６０）における前記ハウジング（６）へ入る水を運搬するよう構成された給餌パイプ（３３）が存在し、前記給餌システム（５）は給餌ホッパ（５１）および前記給餌ホッパ（５１）から餌を口（５７）まで運搬する給餌器（５３）を備え、前記口（５７）は前記ハウジング（６）の上側部（６９）に位置しかつ前記餌が前記水の中で前記閉じた囲い（１）に運搬されるよう前記ハウジング（６）は前記上側部（６９）と前記中央部（６５）との間に通路を備えたことを特徴とする給餌システム（５）。【選択図】図３
2020520651.tif 000002
【特許請求の範囲】
【請求項１】
養魚用の閉じた囲い（１）用の給餌システム（５）であって、前記閉じた囲い（１）は供給パイプ（３１）を含む水供給システム（３）を備えており、その上部（３９）において、下側部（６０）、中央部（６５）、および上側部（６９）を有するハウジング（６）を備え、前記ハウジング（６）の前記中央部（６５）から前記閉じた囲い（１）の内部に延び、前記下側部（６０）における前記ハウジング（６）へ入る水を運搬するよう構成された給餌パイプ（３３）が存在し、前記給餌システム（５）は給餌ホッパ（５１）および前記給餌ホッパ（５１）から餌を口（５７）まで運搬する給餌器（５３）を備え、前記口（５７）は前記ハウジング（６）の上側部（６９）に位置しかつ前記餌が前記水の中で前記閉じた囲い（１）に運搬されるよう前記ハウジング（６）は前記上側部（６９）と前記中央部（６５）との間に通路を備えたことを特徴とする給餌システム（５）。
【請求項２】
前記囲い（１）内部の前記給餌パイプ（３３）は屈曲口片（３４）によって形成されている請求項１に記載の給餌システム（５）。
【請求項３】
前記給餌器（５３）はオーガからなる前記請求項のいずれか１つに記載の給餌システム（５）。
【請求項４】
前記ハウジング（６）の前記下側部（６０）にポンプが配置される前記請求項のいずれか１つに記載の給餌システム（５）。
【請求項５】
前記口（５７）は前記ハウジング（６）の垂直中心軸（６４）に配置される前記請求項のいずれか１つに記載の給餌システム（５）。
【請求項６】
前記請求項のいずれか１つに記載の給餌システム（５）を使用することを含む閉じた囲い（１）内で餌を配布する方法。
【請求項７】
前記閉じた囲い（１）の内部の前記水供給システム（３）に屈曲口片（３４）を提供すること、および実質的に水平方向の前記水流の前記餌を前記閉じた囲い（１）の内部の前記水の中に運搬することを含む請求項６に記載の方法。
【発明の詳細な説明】
【技術分野】
【０００１】
本発明は閉じた囲いにおいて魚に給餌するための給餌装置に関する。特に、本発明は給餌ホッパまたはその他の餌の容器から閉じた囲いに入る水流に餌を運搬することに関する。水流は好ましくは囲いの上側部に運搬される。水流はポンプによって発生される。また特に、本発明はポンプがハウジングの下側部の上昇水流を生じ、かつ中央部が実質的に水平な給餌パイプと通じるハウジングから当該給餌パイプと通じる囲いの中へ水および餌が流れるハウジングの上側部に餌を運搬することに関する。囲いの内部では、給餌パイプは囲い内部の実質的に水平な循環水流に運搬される水および餌用の屈曲口片を形成してもよい。
【背景技術】
【０００２】
従来、海における養殖がいわゆる開いた囲いで行われている。開いた囲いは閉じているが、水透過性である魚用の囲いを形成するネットを備える。囲いは周囲の浮揚システムによって浮揚状態が維持されている。囲いは係留システムも含む。
【０００３】
開いた囲いはいくつかの欠点を有する。サケ類の養殖における欠点は、サケシラミのような甲殻類の寄生虫に魚が感染することである。魚はウイルス、バクテリア、寄生虫に起因するその他の病気に感染する可能性もある。特に、偶然にネットに裂け目が形成された場合は、魚は逃げるかもしれない。開いた囲いは食べられなかった餌や糞などの廃棄物をレシピエントに放出する。囲いの中の水温は周囲の水の温度に従う。冬では、特に表面近くの水の温度は、魚が最適に成長するには低すぎる。夏では、水の温度は、魚が最適に成長するには高すぎる。
【０００４】
閉じた養殖囲いは開いた囲いの代替手段である。閉じた囲いは開いた囲いに関係するいくつかの問題を解決する。閉じた養殖囲いは本業界では既知である。本出願人の特許文献ＷＯ２０１４／１２３４２７は袋を形成する目の詰まった布材から形成された閉じた囲いを示している。特許文献番号１６６５１１は円錐形の下側部を備えた円筒形のサイロを備える半潜水型浮揚プラットフォームを開示する。特許文献ＷＯ２０１０／０１６７６９は水密性かつ実質的に硬い材料からなる魚囲いであって、実質的に半球状の囲いを開示する。特許文献ＷＯ２０１０／０９９５９０は浮力を供給するため中間発泡材を備える水密性繊維ガラスパネルからなる囲いを開示する。この囲いは平坦な底を含む実質的な円筒形状である。
【０００５】
布形状材料または硬い材料で形成された閉じた囲いに共通するのは、水を囲いの中にくみ上げて囲いの中の魚を満足させる水質を維持しなくてはならないことである。特に、水の酸素含有は十分であることが重要である。水平な供給パイプを通して囲いの上側部で水が囲いにくみ上げられる。囲い内部のその端部において、供給パイプは固定または回転可能な排水口を備える。排水口の向きによって水流を閉じた囲い内部の水平および垂直の所望の向きに入れることができる。その下部において、囲いの下側部は魚を保持するが流出する水を通過させることができる出口を備えていてもよい。かかる出口の例は特許文献ＷＯ２０１４／１２３４２７で示されている。
【０００６】
浮揚型養殖囲いの浮揚システムは浮揚体を備える鉄製の矩形通路からなっていてもよい。この通路はヒンジによって相互に接続されている。この通路は縦軸および横軸の通路でグリッドを形成する。このような浮揚システムは通常開いた囲いとともに用いられる。魚の囲いとなるネットは四角形に配置され、特別の垂直材または支持物から突出したフックで周囲の通路に固定される。
【０００７】
浮揚型養殖囲いを浮揚させるための浮揚システムはともにリングに溶接された少なくとも１つのプラスティックパイプからなっていてもよい。通常、浮揚システムは隣り合った２つの同心リングからなる。３つの同心プラスティックリングを備えるプラスティック囲いも知られている。プラスティックまたは鉄製の放射状に配向したブラケットによってプラスティックリングは接続されている。通路は２つの同心リングの上部に配置されてもよい。開いた囲いにおいて、ネットは浮揚システムの最も奥のパイプの中に配置され突出した網フックに取り付けられている。ネットフックはパイプまたは浮揚システムから突出する手すりに取り付けられてもよい。プラスティック囲いのネットの外周は例えば直径３０ｍから５０ｍに対応して、９０ｍから１６０ｍの間であってもよい。
【０００８】
布製の材料から形成された閉じた囲いは上述した２つの同心プラスティックリングからなる浮揚システムを備えてもよい。本出願人の特許ＵＳ９３２１５１１と特許文献ＷＯ２０１６／０３９６３２に記載されたような他の浮揚システムも既知である。
【０００９】
既知の閉じた囲いは開いた囲いに関するいくつかの欠点を補う。既知の閉じた囲いもいくつかの欠点を有する。
【００１０】
乾燥餌ペレットの形態の餌が餌散布機を通じて開いた囲いまたは閉じた囲いに供給されることが知られている。餌散布機は餌バージから囲いにホースを通じて餌を吹き飛ばす餌ブロワと通常接続されている。餌バージは複数の餌サイロを備えていてもよい。このホースは水面に浮揚していてもよい。餌散布機は囲い内の水面上に餌を散布するよう配置されている。魚の餌用の特別な容器と給餌器を備えた餌散布機も同様に知られている。かかる餌散布機は、特に地上では、餌を養殖船舶に分配するために使用される。給餌器は船舶の水面上に突き出しており、餌は給餌器の中で前方に運搬される。給餌器はパイプ内にスクリューを含んでいてもよい。給水面下で餌を与える給餌システムも同様に知られている。
【００１１】
囲い内の表面に散布された餌は水柱を沈めて囲い内の魚によって食べられる。餌は水柱内で実質的に垂直下方に沈む。餌が囲いの中の水柱にある間魚は餌を入手できる。すなわち、餌の沈降速度が開いた囲いの底でいつ餌が囲いから消えるかを決定する。閉じた囲いでは、餌は水流によって横方向に運搬されてもよい。網壁付近および／または囲いを通じた水平な水流の下流に広がった餌は囲いから速やかに拡散される。
【００１２】
乾燥餌ペレットは餌ダストと呼ばれるいくつかの小さい餌粒を含む。これは餌ペレットの表面に存在する。この餌粒は餌の生産、運搬、保管の間および餌散布機への餌の噴出中に形成される。餌ペレットの残りと同じように餌ダストは脂肪も含む。サケ類の餌は３０％の脂肪を含んでもよく、またサケ類の餌は３０％を超える脂肪を含んでもよい。脂肪は餌ペレットに魚油または植物性油、または魚油と植物性油の混合のいずれかの油として加えられる。餌ペレットは表面に遊離脂肪の被覆を含んでいてもよい。餌ダストのいくつかおよび遊離脂肪のいくつかは、それらが水面に当たって水柱内で沈降する際にときに洗い流される。遊離脂肪と軽い餌ダストは水面に集まり囲い内部で膜または被覆を形成する。開いた囲いでは、この膜または被覆は囲いの上部や、水面上で突き出すジャンプネットや、餌散布機、防鳥ネットスタンドなどのその他の機器など、囲いの内部の他の表面に付着する。これは囲いを汚く見せる。閉じた囲いにおいて、この膜または被覆は水面の囲いの壁に付着し、壁に茶色または黄色の塊を形成する。
【００１３】
このため魚の養殖の囲いの餌の良好な散布を提供する給餌装置が必要とされる。さらに囲いの中の水柱に長期間滞在するように餌を分配し、餌が捕食される可能性を増大させる給餌装置が必要とされる。さらに囲い内部の水面で集まる餌ダストと脂肪の量を少なくとも低減する給餌装置が必要とされる。囲い内部の装置と壁を汚すことが同様に回避される。
【００１４】
本発明の目的は従来技術の欠点の少なくとも１つを改善することまたは従来技術に対する有益な代替手段を提供することにある。
【００１５】
この目的は以下の詳細な説明およびその後の請求項にて特定される特徴を通じて達成される。
【発明の概要】
【００１６】
第１の態様において、本発明は特に養魚用の閉じた囲い用の給餌システムであって、前記閉じた囲いは供給パイプを含む水供給システムを備えており、その上部において、下側部、中央部、および上側部を有するハウジングを備え、前記ハウジングの前記中央部から前記閉じた囲いの内部に延び、前記下側部における前記ハウジングへ入る水を運搬するよう構成された給餌パイプが存在することに関する。前記給餌システムは給餌ホッパおよび前記給餌ホッパから餌を口まで運搬する給餌器を備える。前記口は前記ハウジングの上側部に位置する。前記餌が前記水の中で前記閉じた囲いに運搬されるよう前記ハウジングは前記上側部と前記給餌パイプとの間に通路を備える。前記上側部と前記給餌パイプとの間の前記通路が開くと、前記口から来た餌が水流内に自由落下する。前記水流が前記ハウジングの前記下側部における前記ハウジングに入り、前記ハウジングで上向きに流れかつ給餌パイプを経由したハウジングから流れる。
【００１７】
前記給餌パイプは前記囲い内部の水面下にその口を有していてもよい。１つの給餌パイプを経由した水流は前記閉じた囲いに十分な水を供給するのに十分であってもよい。
【００１８】
前記閉じた囲いは複数の給餌パイプを備えていてもよい。前記閉じた囲いは複数の給餌システムを備えていてもよい。前記閉じた囲いは給餌パイプの数と同じ数だけの給餌システムを備えていてもよい。前記閉じた囲いは布製の水密性材料でなる壁によって形成されてもよい。前記閉じた囲いは水密性の硬い材料、例えばコンクリートや硬質プラスティック材料でなる壁によって形成されていてもよい。前記硬い壁は補強されてもよい。前記硬い壁は積層材料から形成されてもよい。
【００１９】
前記囲い内部側において、前記給餌パイプは屈曲口片で形成されてもよい。前記屈曲口片は実質的な水平面に形成されてもよい。前記口片からの水流は前記閉じた囲い内部で実質的に水平に流れる循環水流を形成する。
【００２０】
前記給餌器はオーガで構成されてもよい。前記オーガは開いたパイプまたは部分的に開いたパイプに位置してもよい。前記オーガは閉じたパイプに位置してもよい。その自由端部において、前記開いたパイプ、前記部分的に開いたパイプ、または前記閉じたパイプは口または排出器を形成する。前記給餌器はコンベアベルトであってもよい。その自由端において、前記コンベアベルトは排出装置を形成する。前記給餌器は１以上のガイド壁を備えた回転ディスクであってもよい。この少なくとも１つのガイド壁は前記餌が前記回転ディスクから離れて落ちる部分まで前記餌を案内する。この部分は前記回転ディスクの排出器である。
【００２１】
前記ポンプは前記ハウジングの下側部に位置してもよい。前記ポンプは内部の屈曲口片のノズル開口よりも下に位置する。前記ポンプは水供給システムの下部に位置してもよい。前記水供給システムは前記水柱の下側に延びてもよい。前記ポンプはマンモスポンプであってもよい。前記ポンプは容積型ポンプであってもよい。ポンプは前記ハウジングの内部に位置してもよい。
【００２２】
前記口または前記排出器は前記ハウジングの垂直中心軸に位置してもよい。これは流体力学的条件のため前記水流が前記ハウジングで回転しつつ回転する餌の利点を有する。したがって、前記餌と前記ハウジングおよび前記給餌パイプの内壁との間の接触は小さいかまたはなく、餌のちりの形成もない。
【００２３】
本発明は特に、閉じた囲いにおける餌の分配のための方法であって、前記方法は前記餌を含む給餌ホッパおよび前記給餌ホッパからの餌を口まで運搬するための給餌器を提供することを備え、かつ前記方法は魚の養殖のための前記閉じた囲いであって、水を外部から前記閉じた囲いに運搬するための水供給システムを備えた囲いを提供することをさらに備え、かつ前記方法は前記口から前記餌を前記水供給システムを経由して流れる水流に運搬することを備えることに関する。
【００２４】
前記方法はさらに前記囲い内部の前記水供給システムに屈曲口片を提供することと、実質的に水平方向の前記水流の餌を前記閉じた囲いの水に運搬することを含む。これは前記水流の前記餌が水平方向の水流で運搬され前記餌の沈降性に応じて垂直方向に沈むだけではないという利点を有する。またこれは前記口片のノズル開口からなる領域内で前記囲いに前記餌が運搬された場合であっても前記囲いの周りに前記餌が分布するという利点を有する。前記囲いはいくつかの水供給システムと給餌システムを備えていてもよい。したがって、前記囲いでの前記餌の非常に良好な分配が達成される。本発明の囲いでは、サケ類は餌を求める他のサケ類と競合することのない良好かつ均一な餌の供給を経験することになる。これは前記囲い内での集団のストレスレベルを減少させる。
【００２５】
以下、好ましい実施形態の例が説明され、添付の図面にて視覚化されている。
【図面の簡単な説明】
【００２６】
【図１】図１は、側面から見た、本発明に係る給餌装置を備えた魚の養殖用の浮揚する閉じた囲いを示す。
【図２】図２は、図１と同じものを若干上の角度から見た様子を示す。
【図３】図３は、図１のＡをより大きい縮尺で詳細に示す。
【図４】図４は、図１のＢをより大きい縮尺で詳細に示す。
【発明を実施するための形態】
【００２７】
図面において、符号１１は閉じた囲いを示す。囲い１は、魚用の閉じた囲い１１、浮揚システム２、水供給システム３、排水管４、および給餌システム５を含む。囲い１は係留システム（図示せず）をさらに備える。囲い１は沖に向かって延びたエネルギー供給用の電気ケーブルをさらに備えていてもよい（図示せず）。
【００２８】
閉じた囲い１１は布製の水密性材料１３で形成されている。閉じた囲い１は浮揚システム２に取り付けられている囲い１１によって浮揚状態に保たれている。浮揚システム２は内部浮揚システム２１として示されている（図２参照）。内部浮揚システム２１は囲い１１の周囲の少なくとも１つの環状浮揚体２２を備える。浮揚システム２は外部浮揚システム２３をさらに備える。外部浮揚システム２３は浮揚要素２５で構成されるモジュール式浮揚システム２４として示されている。複数の浮揚要素２５は互いに接続されて内部浮揚システム２１を取り囲む。他の実施形態において、囲い１１は外部浮揚システム２３に取り付けられてもよい。他の実施形態において、内部浮揚システム２１は必須でない。
【００２９】
各浮揚体２５はその上部が実質的に水平なプラットフォーム２６で形成される。浮揚エレメント２５のサイズのため、プラットフォーム２６は波の影響を受けても比較的安定する。
【００３０】
浮揚エレメント２５はコンクリートで形成されてもよい。特許文献ＷＯ  ２０１６／０３９６３２で説明された浮揚エレメント２５はこの目的に適している。
【００３１】
水供給システム３は水柱下側に延びる供給パイプ３１を備える。下端部３０において、供給パイプ３１はフィルタ３２を備えている。その上端部３９において、供給パイプはハウジング６を備えている。ハウジング６は下側部６０、中央部６５、および上側部６９を形成する。ポンプ（図示せず）はハウジング６内部の下側部６０にかつ給餌パイプ３３の下に位置している。給餌パイプ３３はハウジング６の中央部６５から囲い１１の中心部に向かう方向に実質的に水平に延びている（図３参照）。ブラケット６２を備える浮揚要素２５の外側２７に取り付けられたハウジング６が示されている。給餌パイプ３３はハウジング６から浮揚要素２５の底側２８の下、内部浮揚システム２１の下、および囲い１１に形成された開口（図示せず）を通して延びている。囲い１１の内部では、屈曲口片３４が囲い１１の壁１５に沿った実質的に水平な方向に入水を運搬するために方向づけられたノズル開口３５を形成するように給餌パイプ３３は屈曲口片３４をともなって形成されている。ノズル開口３５は水面下に位置する。入水は囲い１１内部の循環水流を形成および維持する。給餌パイプ３３は壁１５の外部の外部封止カラー３６と壁１５の内部の内部封止カラー３７とを備える。図４に示すように給餌パイプ３３の通路が水密性となるように外部封止カラー３６と内部の内部封止カラー３７とは壁１５の給餌パイプ３３の通路を覆う。
【００３２】
排水管４は囲い１１の下側部１０に位置していることが示されている。排水管４は魚が囲い１１に保持されている間同時に囲い１１から水を排出させるフィルタまたはグリルを備える。排水管４は餌の残り、泥、および糞を特別の第１排出口（図示せず）に運搬するよう構成されてもよい。排水管４は死んだ魚を特別の第２排水口（図示せず）に運搬するよう構成されてもよい。かかる排水管４は特許文献ＷＯ２０１４／１２３４２７で説明されておりさらに詳細に説明されることはない。
【００３３】
給餌システム５は取り替え可能な蓋５２、給餌ホッパの下側部５０の給餌機構５３、および分配パイプ５５を備える給餌ホッパ５１を含む。分配パイプ５５は給餌ホッパ５１から分配パイプ５５の口５７へ餌を移すための内部給餌スクリュー（図示せず）を備えている。給餌ホッパ５１はスタンド５９を備えており、スタンド５９はプラットフォーム２６に固定されている。給餌ホッパ５１は開位置および閉位置の間で蓋５２がスライド可能とされるようにするガイド５２１とともに示されている。
【００３４】
給餌システム５はハウジング６によりプラットフォーム２６に配置されている。口５７はハウジング６の上側部６９に位置していることが示されている。他の実施形態において、口５７はハウジング６の直上に位置していてもよい。口５７はハウジング６の縦軸６４に位置してもよい。
【００３５】
餌が給餌ホッパ５１の上で移動して蓋５２が開位置に移動したときに空になるばら積み袋（図示せず）からの餌で満たされるよう給餌ホッパ５１が構成されてもよい。他の実施形態において、ホース（図示せず）を通じて中央餌貯蔵所（図示せず）からの餌で満たされるよう給餌ホッパ５１が構成されてもよい。餌は空気圧で給餌ホッパ５１に運ばれてもよい。この実施形態において、給餌ホッパ５１は餌粒子が給餌ホッパ５１に運搬される前にその速度を下げるためのサイクロン（図示せず）を備えていてもよい。
【００３６】
上記実施形態のすべては発明を説明しているが、それを限定せず、当業者は添付の特許請求の範囲から離れることなく多くの他の実施形態を構築しうることが留意されるべきである。請求項において、かっこ内の参照番号は限定的に見なされるべきでない。
【００３７】
動詞「備える」およびその異なる形態の使用は請求項で言及されていない要素またはステップの存在を排除しない。要素の前の不定冠詞「ａ」または「ａｎ」はいくつかのかかる要素の存在を排除しない。
【００３８】
いくつかの特徴は相互に異なる従属請求項で示されているという事実はそれらの特徴の組み合わせは有利に使用されえないということを示さない。
【図１】
2020520651.tif 000003
【図２】
2020520651.tif 000004
【図３】
2020520651.tif 000005
【図４】
2020520651.tif 000006
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
養魚用の閉じた囲い（１）用の給餌システム（５）であって、前記閉じた囲い（１）は供給パイプ（３１）を含む水供給システム（３）を備えており、その上部（３９）において、下側部（６０）、中央部（６５）、および上側部（６９）を有するハウジング（６）を備え、前記ハウジング（６）の前記中央部（６５）から前記閉じた囲い（１）の内部に延び、前記下側部（６０）における前記ハウジング（６）へ入る水を運搬するよう構成された給餌パイプ（３３）が存在し、前記給餌システム（５）は給餌ホッパ（５１）および前記給餌ホッパ（５１）から餌を口（５７）まで運搬する給餌器（５３）を備え、前記口（５７）は前記ハウジング（６）の上側部（６９）に位置しかつ前記餌が前記口（５７）から前記水の中で前記給餌パイプ（３３）を経由して前記閉じた囲い（１）に運搬されるよう前記ハウジング（６）は前記上側部（６９）と前記中央部（６５）との間に通路を備えたことを特徴とする給餌システム（５）。
【請求項２】
前記囲い（１）内部の前記給餌パイプ（３３）は屈曲口片（３４）によって形成されている請求項１に記載の給餌システム（５）。
【請求項３】
前記給餌器（５３）はオーガからなる前記請求項のいずれか１つに記載の給餌システム（５）。
【請求項４】
前記ハウジング（６）の前記下側部（６０）にポンプが配置される前記請求項のいずれか１つに記載の給餌システム（５）。
【請求項５】
前記口（５７）は前記ハウジング（６）の垂直中心軸（６４）に配置される前記請求項のいずれか１つに記載の給餌システム（５）。
【請求項６】
前記請求項のいずれか１つに記載の給餌システム（５）を使用することを含む閉じた囲い（１）内で餌を配布する方法。
【請求項７】
前記閉じた囲い（１）の内部の前記水供給システム（３）に屈曲口片（３４）を提供すること、および実質的に水平方向の前記水流の前記餌を前記閉じた囲い（１）の内部の前記水の中に運搬することを含む請求項６に記載の方法。
【国際調査報告】
2020520651.tif 000007
2020520651.tif 000008